(57)【特許請求の範囲】
【請求項１】
物品の収納庫の扉の施錠を地震の発生に際して自動解除して扉を開閉可能とする非常時解錠機構付きロック装置であって、
一端に外周方向に向けて張り出されるフランジを有し、外周面に軸挿通孔を有する略筒状のハウジングと、
前記ハウジング内に回転可能に嵌合保持され、一端に外周方向に張り出される操作つまみ部を有し、外周面に前記ハウジングの軸挿通孔に連通する軸挿通部を有する略筒状の錠ケースと、
前記錠ケース内に回転不能に嵌合保持され、一端に鍵穴を有し、他端に前記錠ケースの他端から突出されて、前記鍵穴に差し込まれる鍵の操作により回転可能な錠軸を有するシリンダ錠、及び前記錠ケースの他端から突出される前記錠軸に前記錠軸とともに回転可能に取り付けられる止め金と、
前記ハウジングにブラケットを介して取り付けられ、地震感知装置に電気的に接続されて、プランジャを前記ハウジングの軸挿通孔及び前記錠ケースの軸挿通部に進退可能に配置され、常態として前記プランジャが前記ハウジングの軸挿通孔及び前記錠ケースの軸挿通部に挿通されて、前記ハウジング内で前記錠ケースの回転方向の動きを規制するロック状態とし、前記地震感知装置からの信号を受けたときに前記プランジャが前記錠ケースの軸挿通部から後退されて、前記ハウジング内で前記錠ケースの回転方向の動きを許容するアンロック状態とするソレノイドと、
を備え、
扉の所定の取付位置に前記ハウジングが挿通可能な取付穴を形成されて、前記取付穴に挿着固定され、
通常は、前記シリンダ錠の鍵の操作により前記止め金を収納庫側の所定の取付位置に取り付けられた受け部に対し係合し又は係合を解除することにより扉を施錠又は解錠し、地震の発生に際して、前記地震感知装置及び前記ソレノイドの作動により、前記ハウジング内で前記錠ケースのロック状態が自動解除され、前記錠ケース一端の前記操作つまみ部の回転操作により前記錠ケースを前記シリンダ錠とともに回転することにより前記止め金と前記受け部との係合を解除して扉を解錠し、前記操作つまみ部を扉のノブにして扉を開閉する形式を取る、
ことを特徴とする非常時解錠機構付きロック装置。
【請求項２】
ハウジングとソレノイドとの間に、前記ソレノイドのプランジャの前記錠ケースの軸挿通部に対する進退動作に連動して、前記ハウジング内で錠ケースの回転方向の動きを規制するロック状態と当該規制を解除するアンロック状態とを切り換え表示するインジケータを備える請求項１に記載の非常時解錠機構付きロック装置。
【請求項３】
扉の取付穴に挿着固定されるハウジングのフランジと前記取付穴の周囲との間にシール材が介装され、前記ハウジングの内周面と錠ケースの外周面との間及び前記錠ケースの内周面とシリンダ錠の錠軸の外周面との間にそれぞれシール材が介装されて、前記取付穴、前記ハウジング、前記錠ケース、前記シリンダ錠各部間からの水の浸入を防止する請求項１又は２に記載の非常時解錠機構付きロック装置。
【請求項４】
ハウジングと錠ケースとの間に前記ハウジング内で前記錠ケースをシリンダ錠とともに止め金と受け部が係合される位置と当該係合が解除される位置との間で回転可能に案内するガイドを備える請求項１乃至３のいずれかに記載の非常時解錠機構付きロック装置。
【請求項５】
ハウジングと錠ケースとの間に前記ハウジングの軸挿通孔と前記錠ケースの軸挿通部とを位置合わせするための位置決め係合部を備える請求項１乃至４のいずれかに記載の非常時解錠機構付きロック装置。
【発明の詳細な説明】
【技術分野】
【０００１】
本発明は、地震の発生時に必要な物品を収納する収納庫などに用いられ、通常は収納庫などの扉をロック状態に保持し、地震の発生に際して自動的に扉のロックを解除して扉を開閉可能とする非常時解錠機構付きロック装置に関する。
【背景技術】
【０００２】
近年、各種のオフィスや公共施設などでは、地震の発生に備えて各種の防災用品を防災倉庫などに備蓄しておくことが行われている。
この場合、防災用品は防災倉庫内に確実かつ安全に保持される必要があり、このため、防災倉庫の扉は種々の錠前で施錠されることが通常である。したがって、防災倉庫の扉は鍵が掛けられて、鍵の管理者しか扉を開けることができない。
また、このような防災倉庫の鍵は防災倉庫の扉横の壁面や防災倉庫とは別の場所にある管理室などの壁面に設置された小さな保管庫に保管されることがあり、この場合も、鍵が保管庫内に確実かつ安全に保持されるように、保管庫の扉は鍵が掛けられて、鍵の管理者しか扉を開けることができない。
いずれにせよ、このような鍵の管理がなされていると、いざ地震が発生して、防災倉庫から防災用品を取り出そうとするときや、鍵の保管庫から防災倉庫の鍵を取り出そうとするときに、鍵を持った管理者が即時に防災倉庫や管理室に駆けつけなければ、防災倉庫や鍵の保管庫を開けることができず、防災用品や鍵を取り出すことができない。また、管理者が行方不明であったり鍵を紛失していたりした場合には、防災倉庫や鍵の保管庫の扉は破壊しない限り開けることができないことになる。
そこで、地震の発生に際し、防災倉庫や鍵の保管庫など物品の収納庫の扉の施錠（ロック）状態を自動解除して扉を開閉可能とするロック装置が提案され、この種のロック装置（ロック機構）が特許文献１により開示されている。
【０００３】
この文献１のロック機構は、収納庫の扉の閉止状態において施錠可能位置と解錠位置との間で作動するロック体と、外部から操作力が加えられた場合に反発力を蓄積しその操作力が解除された状態で反発力によりロック体を解錠位置方向に付勢する付勢手段と、付勢手段を反発力を蓄積した状態で拘束する拘束手段と、拘束手段の拘束状態を所定の機器（感震装置）から発信させる災害発生信号を受け付けた際に解除するアクチュエータ（プランジャ、ソレノイド）とを備えて構成される。
このようなロック機構を収納庫の扉に装備することにより、地震の発生に際して、収納庫の扉が自動解錠されて、収納庫から備品や鍵をスムーズに取り出すことができる。
【先行技術文献】
【特許文献】
【０００４】
【特許文献１】特開２０１２−５２３６２公報
【発明の概要】
【発明が解決しようとする課題】
【０００５】
しかしながら、上記従来のロック機構では、次のような点で問題がある。
（１）このロック機構は専ら扉の施錠、解錠に用いられるもので、扉の開閉操作には別途ハンドルが必要となり、扉においてロック機構の各部品やハンドルなどの占有面積が大きくなって、これらの各部品が扉の表面に大きく現れるため、扉の見栄えを損ねたり扉のデザインの自由度が制限されたりすることになり、また、鍵の保管庫など小型の収納庫の小さい扉には適さない。
（２）ロック機構の各部品とは別にハンドルを必要とするため、その分だけ取り付けが複雑になり、また、扉の防水箇所が多くなって、十分な防水性能を確保することが難しい。
（３）ハンドルを一般的なレバー型のハンドルにすると、ハンドルが扉の表面から突出して邪魔になり、これに代えて、ハンドルを扉の表面に埋設されるハンドルケースに収納する形式のハンドルにすると、このようなハンドルに不慣れなユーザーにはハンドル操作が分かりにくく、円滑な操作が得難い。
【０００６】
本発明は、このような従来の問題を解決するもので、この種の非常時解錠機構付きロック装置において、扉を開閉するためのハンドルを別途必要とせず、扉におけるロック装置の各部品の占有面積を可及的に小さくし、併せて各部品の扉の表面に現れる部分を小さくして、扉の見栄えを向上させ、扉のデザインの自由度を高めること、装置構成を簡単にして扉への取り付けを容易に行え、また、扉の防水箇所を少なくして、防水性能を高めること、ハンドルに代わる簡単な操作部を一体的に備え、簡易な操作で扉を円滑に開閉できるようにすること、を目的とする。
【課題を解決するための手段】
【０００７】
上記目的を達成するために、本発明は、
物品の収納庫の扉の施錠を地震の発生に際して自動解除して扉を開閉可能とする非常時解錠機構付きロック装置であって、
（イ）一端に外周方向に向けて張り出されるフランジを有し、外周面に軸挿通孔を有する略筒状のハウジングと、
（ロ）前記ハウジング内に回転可能に嵌合保持され、一端に外周方向に張り出される操作つまみ部を有し、外周面に前記ハウジングの軸挿通孔に連通する軸挿通部を有する略筒状の錠ケースと、
（ハ）前記錠ケース内に回転不能に嵌合保持され、一端に鍵穴を有し、他端に前記錠ケースの他端から突出されて、前記鍵穴に差し込まれる鍵の操作により回転可能な錠軸を有するシリンダ錠、及び前記錠ケースの他端から突出される前記錠軸に前記錠軸とともに回転可能に取り付けられる止め金と、
（ニ）前記ハウジングにブラケットを介して取り付けられ、地震感知装置に電気的に接続されて、プランジャを前記ハウジングの軸挿通孔及び前記錠ケースの軸挿通部に進退可能に配置され、常態として前記プランジャが前記ハウジングの軸挿通孔及び前記錠ケースの軸挿通部に挿通されて、前記ハウジング内で前記錠ケースの回転方向の動きを規制するロック状態とし、前記地震感知装置からの信号を受けたときに前記プランジャが前記錠ケースの軸挿通部から後退されて、前記ハウジング内で前記錠ケースの回転方向の動きを許容するアンロック状態とするソレノイドと、
を備え、
（ホ）扉の所定の取付位置に前記ハウジングが挿通可能な取付穴を形成されて、前記取付穴に挿着固定され、
（ヘ）通常は、前記シリンダ錠の鍵の操作により前記止め金を収納庫側の所定の取付位置に取り付けられた受け部に対し係合し又は係合を解除することにより扉を施錠又は解錠し、地震の発生に際して、前記地震感知装置及び前記ソレノイドの作動により、前記ハウジング内で前記錠ケースのロック状態が自動解除され、前記錠ケース一端の前記操作つまみ部の回転操作により前記錠ケースを前記シリンダ錠とともに回転することにより前記止め金と前記受け部との係合を解除して扉を解錠し、前記操作つまみ部を扉のノブにして扉を開閉する形式を取る、
ことを要旨とする。
【０００８】
また、このロック装置は各部に次のように構成を併せて備える。
（１）ハウジングとソレノイドとの間に、前記ソレノイドのプランジャの前記錠ケースの軸挿通部に対する進退動作に連動して、前記ハウジング内で錠ケースの回転方向の動きを規制するロック状態と当該規制を解除するアンロック状態とを切り換え表示するインジケータを備える。
（２）扉の取付穴に挿着固定されるハウジングのフランジと前記取付穴の周囲との間にシール材が介装され、前記ハウジングの内周面と錠ケースの外周面との間及び前記錠ケースの内周面とシリンダ錠の錠軸の外周面との間にそれぞれシール材が介装されて、前記取付穴、前記ハウジング、前記錠ケース、前記シリンダ錠各部間からの水の浸入が防止される。
（３）ハウジングと錠ケースとの間に前記ハウジング内で前記錠ケースをシリンダ錠とともに止め金と受け部が係合される位置と当該係合が解除される位置との間で回転可能に案内するガイドを備える。
（４）ハウジングと錠ケースとの間に前記ハウジングの軸挿通孔と前記錠ケースの軸挿通部とを位置合わせするための位置決め係合部を備える。
【発明の効果】
【０００９】
本発明の非常時解錠機構付きロック装置では、上記（イ）−（ニ）の構成を備え、（ホ）扉の所定の取付位置にハウジングが挿通可能な取付穴を形成されて、この取付穴に挿着固定され、（ヘ）通常は、シリンダ錠の鍵の操作により止め金を収納庫側の所定の取付位置に取り付けられた受け部に対し係合し又は係合を解除することにより扉を施錠又は解錠し、地震の発生に際して、地震感知装置及びソレノイドの作動により、ハウジング内で錠ケースのロック状態が自動解除され、錠ケース一端の操作つまみ部の回転操作により錠ケースをシリンダ錠とともに回転することにより止め金と受け部との係合を解除して扉を解錠し、この操作つまみ部を扉のノブにして扉を開閉する形式を取るようにしたので、扉を開閉するためのハンドルを別途必要とせず、扉におけるロック装置の各部品の占有面積を可及的に小さくし、併せて各部品の扉の表面に現れる部分を小さくして、扉の見栄えを向上させ、扉のデザインの自由度を高めることができ、また、装置構成を簡単にして扉への取り付けを容易に行うことができるとともに、扉の防水箇所を少なくして、防水性能を高めることができ、さらに、ハンドルに代わる簡単な操作部（操作つまみ部）を一体的に備えたことにより、この操作部の簡易な操作で扉を円滑に開閉することができる、という本発明固有の格別な効果を奏する。
【図面の簡単な説明】
【００１０】
【図１】本発明の一実施の形態における非常時解錠機構付きロック装置の構成を示す図（（ａ）は一部省略正面図（ｂ）は側面断面図（ｃ）は背面図）
【図２】同ロック装置の特にハウジングの構成を示す図（（ａ）は正面図（ｂ）は平面図（ｃ）は底面図（ｄ）は側面断面図）
【図３】同ロック装置の特に錠ケースの構成を示す図（（ａ）は正面図（ｂ）は平面図（ｃ）は底面図（ｄ）は背面図（ｅ）は側面断面図）
【図４】同ロック装置の特にシリンダ錠の構成を示す図（側面図）
【図５】同ロック装置の特にシリンダ錠の錠軸を構成するジョイントの構成を示す図（側面断面図）
【図６】同ロック装置の特にシリンダ錠の錠軸に取り付けられる止め金の構成を示す図（正面図）
【図７】同ロック装置の特にソレノイドの構成を示す図（側面図）
【図８】同ロック装置の特にソレノイドをハウジングに取り付けるためのブラケットの構成を示す図（（ａ）は正面図（ｂ）は側面断面図）
【図９】同ロック装置の防水に使用するシール材（パッキン）の構成を示す図（正面図）
【発明を実施するための形態】
【００１１】
次に、この発明を実施するための形態について図を用いて説明する。
図１に、物品の収納庫の扉の施錠を地震の発生に際して自動解除して扉を開閉可能とする非常時解錠機構付きロック装置を示している。
なお、このロック装置は防災用品を備蓄する防災倉庫や防災倉庫の鍵などを保管する小型の保管庫など各種の物品を収納する各種の収納庫の扉に適用可能であるが、この実施の形態では、鍵などを保管するための小型の保管庫の扉に適用されるロック装置として例示している。ここで保管庫は、扉の一部のみを２点鎖線で簡単に示しているが、正面に開口を有する箱本体と、箱本体の開口縁部、この場合、右側縁部にヒンジを介して回動可能に取り付けられ、箱本体の開口を開閉する扉とからなり、例えば、防災倉庫横の壁面や防災倉庫とは別の場所にある管理室などの壁面に設置される。このロック装置は扉の所定の位置として左側部（回動側側部）の上下方向中央に取り付けられ、箱本体の所定の位置として開口左側縁部の上下方向中央にこのロック装置（の止め金）に係合可能な受け部が取り付けられる。
【００１２】
図１に示すように、非常時解錠機構付きロック装置Ｒは、一端に外周方向に向けて張り出されるフランジ１１を有し、外周面に軸挿通孔１２を有する略筒状のハウジング１と、ハウジング１内に回転可能に嵌合保持され、一端に外周方向に張り出される操作つまみ部２１を有し、外周面にハウジング１の軸挿通孔１２に連通する軸挿通部２２を有する略筒状の錠ケース２と、錠ケース２内に回転不能に嵌合保持され、一端に鍵穴３０を有し、他端に錠ケース２の他端から突出されて、鍵穴３０に差し込まれる鍵の操作により回転可能な錠軸３１を有するシリンダ錠３、及び錠ケース２の他端から突出される錠軸３１にこの錠軸３１とともに回転可能に取り付けられる止め金４と、ハウジング１にブラケット５を介して取り付けられ、地震感知装置８に電気的に接続されて、プランジャ６１をハウジング１の軸挿通孔１２及び錠ケース２の軸挿通部２２に進退可能に配置され、常態としてプランジャ６１がハウジング１の軸挿通孔１２及び錠ケース２の軸挿通部２２に挿通されて、ハウジング１内で錠ケース２の回転方向の動きを規制するロック状態とし、地震感知装置８からの信号を受けたときにプランジャ６１が錠ケース２の軸挿通部２２から後退されて、ハウジング１内で錠ケース２の回転方向の動きを許容するアンロック状態とするソレノイド６と、ハウジング１とソレノイド６との間に設けられ、ソレノイド６のプランジャ６１の錠ケース２の軸挿通部２２に対する進退動作に連動して、ハウジング１内で錠ケース２の回転方向の動きを規制するロック状態と当該規制を解除するアンロック状態とを切り換え表示するインジケータ７と、を備えて構成される。
【００１３】
ハウジング１は、図２に示すように、亜鉛ダイカスト製で、本体１０が略円筒状に形成され、本体１０の外周面の一端にフランジ１１がハウジング１の軸方向に対して直角に上下方向に長い矩形状に丸みを加えた形状に形成され、本体１０の外周面の上部略中央に軸挿通孔１２が、ソレノイド６のプランジャ６１に対する負荷を少なくするために所定のクリアランスを持たせて、プランジャ６１の外径よりも少し大きい前後に長い長穴状に形成される。また、本体１０には、内周面の一端の開口内周縁部に錠ケース２の一端の操作つまみ部２１の外周面後端部が嵌合可能に浅い溝１３が形成され、内周面の他端の開口内周縁部に錠ケース２の他端に取り付けられる止め輪２０１が係合可能に浅い溝１４が形成されて段差部になっている。また、フランジ１１の後面には上部の左右両側及び中央と下部の中央にそれぞれボス１５、１６、１７、１８が一体に形成される。なお、上部中央のボス１５は下部側がハウジング１の本体１０外周面まで延長されてフランジ１１と外周面との間に一体に形成される。上部の左右両側及び下部の中央の各ボス１６、１７、１８には後端面から前端面に向けてねじが切られてねじ孔１６０、１７０、１８０が形成され、上部の中央のボス１５には後端面と前端面との間が貫通され、後端面にアクリルからなる透明のカバー１５１が水密に取り付けられて、後述するインジケータ７の表示窓７０になっている。
また、ハウジング１には、このハウジング１と後述する錠ケース２との間にハウジング１内で錠ケース２をシリンダ錠３とともに止め金４と受け部が係合される位置と当該係合が解除される位置との間で回転可能に、すなわちシリンダ錠３により施錠されて受け部に対して係合状態の止め金４を受け部に対して解除位置まで回転可能に案内するためのガイドＧを構成するガイドＧの一部を有する。この場合、ガイドＧはハウジング１の内周面又は錠ケース２の外周面の一方に形成される所定角度の、この場合、９０°の円弧状のガイド溝Ｇ１と、他方に設けられ、ガイド溝Ｇ１上を摺動可能なガイド凸起Ｇ２とからなり、ここでは、ハウジング１の内周面の一端側で下半部側の左右方向片側一方（この場合、左側）に開口内周縁部の溝１３に隣接して奥側に並列にガイド溝Ｇ１が９０°よりも少し大きい角度に形成される。なお、このハウジング１にガイド溝Ｇ１に代えてガイド凸起Ｇ２が設けられてもよい。
さらに、ハウジング１には、ハウジング１と錠ケース２との間にハウジング１の軸挿通孔１２と錠ケース２の軸挿通部２２とを位置合わせするための位置決め係合部Ｐを構成する位置決め係合部Ｐの一部を有する。この場合、位置決め係合部Ｐはハウジング１の内周面又は錠ケース２の外周面の一方に形成される位置決め凹部Ｐ１と他方に形成される位置決め凸部Ｐ２とからなり、ここでは、ハウジング１の内周面の他端の開口縁部から少し奥側（一端の開口縁部側）の下部中央に位置決め凹部Ｐ１が半球状の凹部として形成される。なお、このハウジング１に位置決め凹部Ｐ１に代えて位置決め凸部Ｐ２が設けられてもよい。
【００１４】
錠ケース２は、図３に示すように、亜鉛ダイカスト製で、本体２０が略円筒状に形成され、本体２０の外周面の一端に操作つまみ部２１が錠ケース２の軸方向に対して直角に前面視円形、後面視円形で側面視前面から後面に向けて漸次拡径されるテーパ状に形成されるとともに後端部を外周方向に張り出すフランジ状に形成され、本体２０の外周面の上部略中央に軸挿通部２２が、ソレノイド６のプランジャ６１に対する負荷を少なくするために所定のクリアランスを持たせて、プランジャ６１の外径よりも少し大きい前後に長い有底の長穴状に形成される。さらに、この外周面には、軸方向中間部に周方向に溝が形成されてＯリング装着部２３が設けられ、後端部近傍に溝が周方向に形成されて止め輪２０１が嵌着される。なお、操作つまみ部２１の外周面には周方向に所定の間隔で軸方向に向けて複数の凸状部２１１が形成され、これがすべり止めになっている。また、本体２０の内周面は一端側がシリンダ錠３の本体３Ｂ（シリンダケース）が嵌合可能に本体３Ｂの外形に合せて大径に形成され、特にその後部側の左右両側面を平坦化されて断面略小判形に形成され、これにより錠ケース２内でシリンダ錠３が回り止めされ、回転不能となる。また、本体３Ｂの内周面の他端側はシリンダ錠３の錠軸３１が嵌合可能にかつ回転可能に錠軸３１の外形に合せて小径に形成される。この内周面の後部側には周方向に溝が形成されてＯリング装着部２４が設けられる。また、この場合、錠軸３１は、図４、図５に示すように、シリンダ錠３の本体３Ｂ後端から突出される回転軸３１１とこの回転軸３１１に外嵌されて回転軸３１１の延長上に延びるジョイント３２とからなる。ジョイント３２は、亜鉛ダイカスト製で、一端にシリンダ錠３の後端面に当接可能なフランジ３２１を有し、シリンダ錠３の回転軸３１１に外嵌可能な大径の固定部３２２と、固定部３２２の後端に角型の止め金取付部３２３を介して連接される小径のねじ部３２４とを有する。シリンダ錠３の回転軸３１１の外周面とジョイント３２の固定部３２２の外周面にそれぞれ相互に連通する貫通孔３１２、３２５が穿設され、これらの貫通穴３１２、３２５にスプリングピン３３（図１参照）が圧入されて、シリンダ錠３の回転軸３１１にジョイント３２が連結される。このシリンダ錠３の回転軸３１１に外嵌されるジョイント３２の固定部３２２は錠ケース２の内周面の他端部側に回転可能に嵌挿されて、ジョイント３２の止め金取付部３２３が錠ケース２の他端の外側に当接配置され、ねじ部３２４が錠ケース２の他端から外部に突出される。このようにして錠ケース２は、ハウジング１内に回転可能に嵌合保持され、一端の操作つまみ部２１をハウジング１の一端の溝１３内で回転操作することにより錠ケース２全体が後述する所定の角度範囲で回転可能になっている。なお、ハウジング１の前面の開口周囲にはこの錠ケース２の回転操作方向を示す矢印が併せて付設される（図２参照）。
また、錠ケース２には、前述したハウジング１とこの錠ケース２との間にハウジング１内で錠ケース２をシリンダ錠３とともに、止め金４と受け部が係合される位置と当該係合が解除される位置との間で回転可能に、すなわちシリンダ錠３により施錠されて受け部に対して係合状態の止め金４を受け部に対して解除位置まで回転可能に案内するためのガイドＧを構成するガイドＧの一部を有する。この場合、ガイドＧは既述のとおりハウジング１の内周面又は錠ケース２の外周面の一方に形成される所定角度の、この場合、９０°の円弧状のガイド溝Ｇ１と、他方に設けられ、ガイド溝Ｇ１上を摺動可能なガイド凸起Ｇ２とからなり、ここでは、錠ケース２の外周面の一端側で操作つまみ部２１に隣接して後部側の下部にガイド凸起Ｇ２が設けられる。なお、この錠ケース２にガイド凸起Ｇ２に代えてガイド溝Ｇ１が設けられてもよい。
さらに、錠ケース２には、前述したハウジング１とこの錠ケース２との間にハウジング１の軸挿通孔１２と錠ケース２の軸挿通部２２とを位置合わせするための位置決め係合部Ｐを構成する位置決め係合部Ｐの一部を有する。この場合、位置決め係合部Ｐはハウジング１の内周面又は錠ケース２の外周面の一方に形成される位置決め凹部Ｐ１と他方に形成される位置決め凸部Ｐ２とからなり、ここでは、錠ケース２の外周面の他端の開口縁部から少し奥側（一端の開口縁部側）の下部中央に外周面上に開口する有底の孔２５が形成され、この孔２５に、図１に示すように、スプリング２６を介してディテントボール２７が配設されて、スプリング２６とこのスプリング２６により外周方向に向けて付勢されるディテントボール２７からなる位置決め凸部Ｐ２が設けられる。なお、この錠ケース２に位置決め凸部Ｐ２に代えて位置決め凹部Ｐ１が設けられてもよい。
【００１５】
シリンダ錠３は汎用品で、図４に示すように、一端に鍵穴３０を有する本体３Ｂと、この本体３Ｂの他端から突出され、本体３Ｂの鍵の操作により回転可能な回転軸３１１とを備え、本体３Ｂは略円筒状でその後部側の左右両側を平坦状に形成されて断面略小判形になっていて、回転軸３１１は既述のとおりジョイント３２（図５参照）が連結されて錠軸３１として延ばされる。このようにしてシリンダ錠３は錠ケース２内に回転不能に嵌合保持される。
止め金４は、図６に示すように、鋼板により一端が半円形で他端の両角部にアールを付けた所定の長さを有する細長い平板状に形成され、一端側に錠軸３１の止め金取付部３２３に嵌合可能な角型の取付穴４０が穿たれる。この止め金４は、取付穴４０に錠ケース２の他端から突出される錠軸３１が通されて、この取付穴４０が錠軸３１の止め金取付部３２３（図５、図１参照）に嵌め込まれ、錠軸３１のねじ部３２４にナット４１（図１参照）が締め込まれて取り付けられる。このようにして止め金４は、錠ケース２の他端から突出される錠軸３１に錠軸３１とともに回転可能に取り付けられる。この止め金４は、鍵穴３０に差し込まれる鍵の操作により、図１（ａ）に示すように、前面から見て左方向に水平に延びる位置を施錠位置（収納庫（箱本体側）の受け部に対して係合可能な位置）とし、上方向に垂直に延びる位置を解錠位置（収納庫（箱本体側）の受け部に対して係合を解除可能な位置）として、９０°の角度範囲で回転される。
【００１６】
ソレノイド６は汎用品で、図７に示すように、本体６０と、本体６０の一端から突出され進退駆動されるプランジャ６１とからなり、地震感知装置８（図１参照）に配線を介して電気的に接続される。このソレノイド６はハウジング１にブラケット５を介して取り付けられる。この場合、ブラケット５は、図８に示すように、ハウジング１のフランジ１１と略同じ外形からなり、ハウジング１の本体１０がフランジ１１の上部中央のボス１５とともに挿通可能な大きい穴５１０とフランジ１１の上部左右両側及び下部中央の各ボス１６、１７、１８を挿通可能な３箇所の小さい穴５１１とを有する固定部５１と、固定部５１の上部にソレノイド６と略同じ長さに延長され、一端と他端にそれぞれソレノイド６を取り付けるためのねじ挿通孔５２１、５２２を有する取付部５２とを備える。なお、固定部５１の小さい穴５１１はそれぞれの部分がハウジング１の各ボス１６、１７、１８が嵌合可能に前面側から後面側に向けて凹状に形成されて穿たれる。このようにしてブラケット５の取付部５２にソレノイド６が取付ねじ６２（図７参照）を介して取り付けられ、固定部５１の大きい穴５１０にハウジング１、錠ケース２及びシリンダ錠３の組立体が挿着されるとともに、ハウジング１の各ボス１６、１７、１８が各小さい穴５１１に合せられ、プランジャ６１がハウジング１の表示窓７０の後方でハウジング１の軸挿通孔１２及び錠ケース２の軸挿通部２２に進退可能に配置されて、このブラケット５は、ロック装置Ｒが扉の所定の取付位置に取り付けられる際に、ブラケット５の各穴５１１に取付ねじ５３（図１参照）が通され、各ボス１６、１７、１８の各ねじ孔１６０、１７０、１８０に締結されて、ハウジング１、錠ケース２及びシリンダ錠３の組立体とともに扉の所定の取付位置に固定される。そして、ソレノイド６と地震感知装置８が電気的に接続されて、常態としてプランジャ６１がハウジング１の軸挿通孔１２及び錠ケース２の軸挿通部２２に挿通されて、ハウジング１内で錠ケース２の回転方向の動きを規制するロック状態とし、地震感知装置からの信号を受けたときにプランジャ６１が錠ケース２の軸挿通部２２から後退されて、ハウジング１内で錠ケース２の回転方向の動きを許容するアンロック状態とする。
なお、このソレノイド６及び地震感知装置８に供給する電源は商用電源としてもよいが、ここではバッテリが採用され、これにより、電源への配線は不要としてある。
【００１７】
インジケータ７は、図１に示すように、ハウジング１の表示窓７０と、この表示窓７０の後方のソレノイド６のプランジャ６１に装着される表示部材７１とからなる。この場合、表示部材７１はＡＢＳ樹脂により、全体がハウジング１のフランジ１１と外周面との間に配置可能な外径と表示窓７０の高さの２倍よりも少し大きい高さを有する円柱形に形成されて、外周面の上半部７１１に、プランジャ６１がハウジング１の軸挿通孔１２及び錠ケース２の軸挿通部２２に挿通されて、ハウジング１内で錠ケース２の回転方向の動きを規制するロック状態を表す赤色の塗装を施され、外周面の下半部７１２にその規制を解除するアンロック状態を表す青色の塗装を施されて、ロック状態のときに上半部７１１が表示窓７０に対向可能な高さになるように、アンロック状態のときに下半部７１２が表示窓７０に対向可能な高さになるように、プランジャ６１の外周面所定の位置（高さ）に取り付けられる。このようにしてインジケータ７は、ハウジング１とソレノイド６との間に、ソレノイド６のプランジャ６１の進退動作に連動して、ハウジング１内で錠ケース２の回転方向の動きを規制するロック状態（赤色）と当該規制を解除するアンロック状態（青色）とを切り換え表示するようになっている。
【００１８】
また、このロック装置Ｒは、防水機能を持たせるために、扉の取付穴に挿着固定されるハウジング１のフランジ１１と取付穴の周囲との間をシールするためのシール材Ｓ１と、ハウジング１の内周面と錠ケース２の外周面との間をシールするためのシール材Ｓ２、及び錠ケース２の内周面とシリンダ錠３の錠軸３１の外周面との間をシールするためのシール材Ｓ３が用意される。この場合、シール材Ｓ１は、図９に示すように、耐水性、耐候性に優れる合成ゴム材料によりハウジング１のフランジ１１の後面と略同じ外形の平板で、その中央にハウジング１の本体１０がフランジ１１の上部中央のボス１５とともに挿通可能な大きい穴Ｓ１０が、その上部の左右両側及び下部の中央にそれぞれフランジ１１の上部の左右両側及び下部の中央の各ボス１６、１７、１８を挿通可能な３箇所の小さい穴Ｓ１１がそれぞれ穿たれてなるパッキンで、このパッキンＳ１は、このロック装置Ｒが扉に取り付られる際に、ハウジング１のフランジ１１と取付穴の周囲との間に介装される。シール材Ｓ２は耐水性、耐候性に優れる合成ゴム材料からなる、錠ケース２の外周面のＯリング装着部２３に環装可能なＯリングで、このＯリングＳ２は、ハウジング１と錠ケース２との組み立ての際に、錠ケース２外周面のＯリング装着部２３に環装されて、ハウジング１の内周面と錠ケース２の外周面との間に介装される（図１参照）。シール材Ｓ３は耐水性、耐候性に優れる合成ゴム材料からなる、錠ケース２の内周面のＯリング装着部２４に環装可能なＯリングで、このＯリングＳ３は、錠ケース２とシリンダ錠３の組み立ての際に、錠ケース２内周面のＯリング装着部２４に環装されて、錠ケース２の内周面とシリンダ錠３の錠軸の外周面との間に介装される（図１参照）。このようにして取付穴、ハウジング１、錠ケース２、シリンダ錠３の各部間からの水の浸入を防止する。
【００１９】
ロック装置Ｒは、このような構成を備え、図１（ｂ）に示すように、扉Ｄの所定の取付位置にハウジング１が挿通可能な取付穴Ｄ０、Ｄ１を形成されて、この取付穴Ｄ０、Ｄ１に挿着固定される。この場合、扉Ｄの所定の取付位置にハウジング１の本体１０がフランジ１１の上部中央のボス１５とともに挿通可能な大きい穴Ｄ０と、ハウジング１の上部両側及び下部中央の各ボス１６、１７、１８が挿通可能な３つの小さい穴Ｄ１が形成される。このようにして扉Ｄの前面側において取付穴Ｄ０、Ｄ１の周囲にパッキンＳ１が配置され、ハウジング１の本体１０がフランジ１１後面の各ボス１６、１７、１８とともに取付穴Ｄ０、Ｄ１の前方から取付穴Ｄ０、Ｄ１に通される。これにより、ハウジング１のフランジ１１と取付穴Ｄ０、Ｄ１の周囲との間にパッキンＳ１が介装される。そして、扉Ｄの後面側においてハウジング１の本体１０がフランジ１１の上部中央のボス１５とともにソレノイド６を取り付けたブラケット５の固定部５１の大きい穴５１０に通されて、ハウジング１の本体１０にブラケット５を介してソレノイド６が装着され、ハウジング１の各ボス１６、１７、１８（図２参照）とブラケット５の各ねじ挿通部５１１、５１１、５１１（図８参照）が合せられて、各ねじ挿通部５１１、５１１、５１１に取付ねじ５３が通され、各ボス１６、１７、１８の各ねじ孔１６０、１７０、１８０（図２参照）に締結されて、ロック装置Ｒが扉Ｄの所定の取付位置に固定される。
【００２０】
このようにしてロック装置Ｒは、通常、シリンダ錠３の鍵の９０°の角度範囲の回転操作により止め金４を収納庫（箱本体）側の所定の取付位置に取り付けられた受け部に対し係合し又は係合を解除することにより扉Ｄを施錠又は解錠し、地震の発生に際して、地震感知装置８及びソレノイド６の作動により、ハウジング１内で錠ケース２のロック状態が自動解除され、錠ケース２一端の操作つまみ部２１の９０°の角度範囲の回転操作により錠ケース２をシリンダ錠３とともに回転することにより止め金４と受け部との係合を解除して扉Ｄを解錠し、操作つまみ部２１を扉Ｄのノブにして扉Ｄを開閉する形式を取る。
【００２１】
図１を用いてこのロック装置Ｒの使用方法について説明する。
図１に示すように、このロック装置Ｒは、常態として、ソレノイド６のプランジャ６１がハウジング１の軸挿通孔１２及び錠ケース２の軸挿通部２２に挿通されて、ハウジング１内で錠ケース２の回転方向の動きを規制するロック状態になっていて、ハウジング１のインジケータ７の表示窓７０にはロック状態を表す赤色が表示される。
通常、収納庫の扉Ｄを開けるときは、シリンダ錠３の鍵穴３０に鍵を差し込んで右方向へ９０°回転操作すると、シリンダ錠３の錠軸３１に固定され、収納庫（箱本体）の受け部に係合されている施錠位置の止め金４が右方向に９０°、解錠位置まで回転して、止め金４と受け部との係合が解除される。これにより、扉Ｄが解錠されて、この状態から、操作つまみ部２１をノブにして扉Ｄを開ける。反対に、収納庫（箱本体）の扉Ｄを閉めるときは、操作つまみ部２１をノブにして扉Ｄを閉め、シリンダ錠３の鍵穴３０に鍵を差し込んで左方向へ９０°回転操作すると、シリンダ錠３の錠軸３１に固定され、収納庫（箱本体）の受け部に係合されていない解錠位置の止め金４が左方向に９０°、施錠位置まで回転して、止め金４と受け部が係合される。これにより、扉Ｄが施錠される。
なお、この扉Ｄの施錠、解錠に際しては、ハウジング１と錠ケース２との間の位置決め係合部Ｐにより、ハウジング１内で錠ケース２が確実に保持されて、ハウジング１の軸挿通孔１２と錠ケース２の軸挿通部２２が確実に位置合わせされ、また併せて、これら軸挿通孔１２及び軸挿通部２２が所定のクリアランスを持たせて、ソレノイド６のプランジャ６１の外径よりも少し大きい前後に長い長穴状に形成されていることで、軸挿通孔１２の内壁面、軸挿通部２２の内壁面とプランジャ６１との接触によるプランジャ６１の負荷が少なく、ソレノイド６の性能は良好に維持される。
そして、地震が発生して、地震感知装置８が作動し、地震感知信号が発信されると、この信号をソレノイド６で受けて、ソレノイド６が作動し、プランジャ６１が錠ケース２の軸挿通部２２から後退されて、ハウジング１内で錠ケース２の回転方向の動きを許容するアンロック状態に切り替わり、インジケータ７の表示窓７０には（表示部材７２がプランジャ６１の後退動作により引き上げられて）アンロック状態を表す青色が表示される。
このようにしてハウジング１内で錠ケース２が回転可能になり、錠ケース２の一端の操作つまみ部２１を右方向に９０°回転させると、錠ケース２がシリンダ錠３とともに右方向に９０°回転することにより、シリンダ錠３の錠軸３１に固定された止め金４は右方向に９０°、解錠位置まで回転して、止め金４と受け部との係合が解除される。これにより、扉Ｄが解錠されて、この状態から、操作つまみ部２１をノブにして扉Ｄを開けることができる。
なお、このロック装置Ｒは、ソレノイド６をリセットすることで、通常の使用状態に戻され、インジケータ７の表示窓７０には施錠状態を表す赤色が表示される。
また、地震感知装置８、ソレノイド６の電源にはバッテリが採用されていることで、地震感知装置８、ソレノイド６はそれぞれ停電などの際にも作動可能である。
【００２２】
以上説明したように、この非常時解錠機構付きロック装置Ｒは、ハウジング１と、ハウジング１内に回転可能に嵌合保持される錠ケース２と、錠ケース２内に回転不能に嵌合保持されるシリンダ錠３、及び錠ケース２の他端から突出されるシリンダ錠３の錠軸３１に錠軸３１とともに回転可能に取り付けられる止め金４と、ハウジング１にブラケット５を介して取り付けられ、地震感知装置８に電気的に接続されて、プランジャ６１をハウジング１の軸挿通孔１２及び錠ケース２の軸挿通部２２に進退可能に配置され、常態としてプランジャ３１がハウジング１の軸挿通孔１２及び錠ケース２の軸挿通部２２に挿通されて、ハウジング１内で錠ケース２の回転方向の動きを規制するロック状態とし、地震感知装置８からの信号を受けたときにプランジャ６１が錠ケース２の軸挿通部２２から後退されて、ハウジング１内で錠ケース２の回転方向の動きを許容するアンロック状態とするソレノイド６とを備えて構成され、扉Ｄの所定の取付位置に取り付けられて、通常、シリンダ錠３の鍵の操作により止め金４を収納庫（箱本体）の所定の取付位置に取り付けられた受け部に対し係合し又は係合を解除することにより扉Ｄを施錠又は解錠し、地震の発生に際して、地震感知装置８及びソレノイド６の作動により、ハウジング１内で錠ケース２のロック状態が自動解除され、錠ケース２の操作つまみ部２１の回転操作により錠ケース２をシリンダ錠３とともに回転することにより止め金４と受け部との係合を解除して扉Ｄを解錠し、操作つまみ２１部を扉Ｄのノブにして扉Ｄを開閉する形式を取るようにしたので、扉Ｄを開閉するためのハンドルを別途必要とせず、扉Ｄにおけるロック装置Ｒの各部品の占有面積を可及的に小さくし、併せて各部品の扉Ｄの表面に現れる部分を小さくして、扉Ｄの見栄えを向上させるとともに、扉Ｄのデザインの自由度を高めることができ、また、装置構成を簡単にして扉Ｄへの取り付けを簡易に行うことができるとともに、扉Ｄの防水箇所を少なくして、防水性能を高めることができ、さらに、ハンドルに代わる簡単な操作つまみ部２１を一体的に備えたことにより、この操作つまみ部２１の簡易な操作で解錠後の扉Ｄを円滑に開閉することができる。
【００２３】
また、このロック装置Ｒの取り付けでは、扉Ｄの所定の取付位置にハウジング１の本体１０がフランジ１１の上部中央のボス１５とともに挿通可能な大きい穴Ｄ０と、ハウジング１の上部の左右両側及び下部の中央の各ボス１６、１７、１８が挿通可能な３つの小さい穴Ｄ１とを形成し、扉Ｄの前面側からハウジング１を大きい穴Ｄ０に挿着し、フランジ１１の各ボス１６、１７、１８を各小さい穴Ｄ１に嵌め込み、扉Ｄの後面においてブラケット５を介して各ボス１６、１７、１８に取付ねじ５３を締結するだけなので、ロック装置Ｒの取り付けを容易に行うことができる。
また、扉Ｄの所定の取付位置において取付穴Ｄ０に挿着固定されるハウジング１のフランジ１１と取付穴Ｄ０の周囲との間にシール材Ｓ１が介装され、ハウジング１の内周面と錠ケース２の外周面との間及び錠ケース２の内周面とシリンダ錠３の錠軸３１の外周面との間にそれぞれシール材Ｓ１、Ｓ２が介装されて、取付穴Ｄ０、ハウジング１、錠ケース２、シリンダ錠３の各部間からの水の浸入を確実に防止することができる。
【００２４】
また、このロック装置Ｒでは、ハウジング１とソレノイド６との間に、ソレノイド６のプランジャ６１の錠ケース２の軸挿通部２２に対する進退動作に連動して、ハウジング１内での錠ケース２の回転方向の動きを規制するロック状態と当該規制を解除するアンロック状態とを切り換え表示するインジケータ７を備えたので、地震が発生したときに、ハウジング１内で錠ケース２のロック状態が自動解除されている状態を即座に視認することができる。
さらに、ハウジング１と錠ケース２との間に、ハウジング１内で錠ケース２をシリンダ錠３とともに止め金４と受け部が係合される位置と当該係合が解除される位置との間で回転可能に案内するガイドＧを備えたので、地震が発生し、ハウジング１内で錠ケース２のロック状態が自動解除された後の操作つまみ部２１の回転操作を容易かつ円滑に行うことができる。
またさらに、ハウジング１と錠ケース２との間に、ハウジング１の軸挿通孔１２と錠ケース２の軸挿通部２２とを位置合わせするための位置決め係合部Ｐを備えたので、常態として、ハウジング１内で錠ケース２を確実に保持してハウジング１の軸挿通孔１２と錠ケース２の軸挿通部２２とを位置合わせすることができ、また、ハウジング１の軸挿通孔１２の内壁面及び錠ケース２の軸挿通部２２の内壁面とプランジャ６１との接触によるプランジャ６１の負荷を少なくして、ソレノイド６の性能を良好に維持することができる。
【００２５】
なお、この実施の形態では、ロック装置Ｒを収納庫の扉Ｄに取り付け、収納庫（箱本体）に受け部を取り付けた場合を例示したが、このロック装置Ｒを収納庫（箱本体）に取り付け、扉Ｄに受け部を設けることもでき、このようにして同様の作用効果を得ることができる。ただし、この場合は扉に開閉用のハンドル又はノブが必要となる。
また、この実施の形態では、ロック装置Ｒを小型の収納庫（保管庫）に適用した場合を例示したが、このロック装置Ｒを防災倉庫などの倉庫の扉にも同様に適用することができ、同様の作用効果を得ることができることは勿論である。
【符号の説明】
【００２６】
Ｒ  非常時解錠機構付きロック装置
１  ハウジング
１０  本体
１１  フランジ
１２  軸挿通孔
１３  溝
１４  溝
１５  ボス
１５１  カバー
１６、１７  ボス
１６０、１７０  ねじ孔
１８  ボス
１８０  ねじ孔
２  錠ケース
２０  本体
２０１  止め輪
２１  操作つまみ部
２１１  凸状部
２２  軸挿通部
２３  Ｏリング装着部
２４  Ｏリング装着部
Ｇ  ガイド
Ｇ１  ガイド溝
Ｇ２  ガイド凸起
Ｐ  位置決め係合部
Ｐ１  位置決め凹部
Ｐ２  位置決め凸部
２５  孔
２６  スプリング
２７  ディテントボール
３  シリンダ錠
３Ｂ  本体
３０  鍵穴
３１  錠軸
３１１  回転軸
３１２  貫通孔
３２  ジョイント
３２１  フランジ
３２２  固定部
３２３  止め金取付部
３２４  ねじ部
３２５  貫通孔
３３  スプリングピン
４  止め金
４０  取付穴
４１  ナット
５  ブラケット
５１  固定部
５１０  大きい穴
５１１  小さい穴
５２  取付部
５２１、５２２  ねじ挿通孔
５３  取付ねじ
６  ソレノイド
６０  本体
６１  プランジャ
６２  取付ねじ
７  インジケータ
７０  表示窓
７１  表示部材
７１１  上半部
７１２  下半部
８  地震感知装置
Ｓ１  シール材（パッキン）
Ｓ１０  穴
Ｓ１１  穴
Ｓ２  シール材（Ｏリング）
Ｓ３  シール材（Ｏリング）
Ｄ  扉
Ｄ０  取付穴
Ｄ１  取付穴
【図１】
0006599206.tif 000002
【図２】
0006599206.tif 000003
【図３】
0006599206.tif 000004
【図４】
0006599206.tif 000005
【図５】
0006599206.tif 000006
【図６】
0006599206.tif 000007
【図７】
0006599206.tif 000008
【図８】
0006599206.tif 000009
【図９】
0006599206.tif 000010